【手続補正書】
【提出日】平成18年1月20日(2006.1.20)
【手続補正１】
【補正対象書類名】明細書
【補正対象項目名】請求項２
【補正方法】変更
【補正の内容】
【請求項２】  前記合成映像生成手段は、前記縮小映像を結合して得られた映像に所定の画像圧縮を行い、その圧縮された映像を前記合成映像として出力するものである
ことを特徴とする請求項１記載の映像記録装置。
【手続補正２】
【補正対象書類名】明細書
【補正対象項目名】請求項１２
【補正方法】変更
【補正の内容】
【請求項１２】  前記合成映像を生成するステップは、前記縮小映像を結合して得られた映像に所定の画像圧縮を行い、その圧縮された映像を前記合成映像として出力するステップを含む
ことを特徴とする請求項１１記載の映像記録方法。
【手続補正３】
【補正対象書類名】明細書
【補正対象項目名】請求項１３
【補正方法】変更
【補正の内容】
【請求項１３】  前記所定の記録媒体として、ディジタルの映像情報を記録可能なテープ状記録媒体を用いるようにした
ことを特徴とする請求項１１記載の映像記録方法。
【手続補正４】
【補正対象書類名】明細書
【補正対象項目名】請求項１５
【補正方法】変更
【補正の内容】
【請求項１５】  前記付加情報として、前記供給された複数の映像の各供給源を示す供給源情報、前記複数の映像が記録された日時を示す記録日時情報、前記合成映像内における縮小映像の配置および数を示す画面分割構成情報、記録に使用された映像記録装置自体を識別するための記録装置識別情報、または、合成映像に含まれる個々の縮小映像の内容自体に関する内容関連情報、の少なくとも１つを含めるようにした
ことを特徴とする請求項１１記載の映像記録方法。
【手続補正５】
【補正対象書類名】明細書
【補正対象項目名】００１３
【補正方法】変更
【補正の内容】
【００１３】
なお、本発明の映像記録装置、映像記録方法または集中監視記録システムでは、複数の映像供給源（ビデオカメラを含む）から個々に出力された映像を時分割的に切り換えることによって、各映像供給源からの映像をそれぞれ間欠的に取り込むようにしてもよい。
【手続補正６】
【補正対象書類名】明細書
【補正対象項目名】００２２
【補正方法】変更
【補正の内容】
【００２２】
フレーム合成部１は、外部入力装置１００のマルチプレクサ１０３から出力された入力映像データＤINを一旦記憶するためのメモリ１１と、このメモリ１１に対するデータの書き込みおよびメモリ１１からのデータの読み出しの際のアドレス指定制御を行うメモリコントローラ１２とを有している。外部入力装置１００の１つのビデオカメラ１０１によって得られた入力映像データＤINのフレームＦＩｉ（ｉ＝１，２，３，・・・）は、例えば図２に示したように、７２０ドット×４８０ラインというデータ構成を有している。
【手続補正７】
【補正対象書類名】明細書
【補正対象項目名】００２３
【補正方法】変更
【補正の内容】
【００２３】
メモリコントローラ１２は、入力映像データＤINの各フレームに対して後述するような手順でサンプリング処理を行うことにより、図２に示したように、例えば３６０ドット×２４０ラインというデータ構成の縮小映像Ｐｉ（ｉ＝１，２，３，・・・）を作成し、この縮小映像を複数枚結合して、１枚の合成映像フレームＦｃを作成するようになっている。例えば、図２の例では、各ビデオカメラにより得られた４枚のフレームＦＩ１〜ＦＩ４の映像をそれぞれ縮小して、４枚の縮小映像Ｐ１〜Ｐ４を生成し、さらにこれらの縮小映像Ｐ１〜Ｐ４を結合して、合成映像フレームＦｃを作成するようになっている。なお、マルチプレクサ１０３からの入力映像データＤINがフィールド単位で入力される場合には、例えば、まず２枚のフィールドから一枚のフレームを作成してからサンプリングを行って縮小映像を作成する。また、図２では、４枚の映像から１枚の合成映像を生成する場合を示したが、後述するように、それ以上あるいはそれ以下の枚数の映像から合成映像を生成することも可能である。
【手続補正８】
【補正対象書類名】明細書
【補正対象項目名】００３２
【補正方法】変更
【補正の内容】
【００３２】
図５は、記録処理部８の構成を表すものである。この記録処理部８は、メモリ部５から出力された合成映像データおよび付加データをビデオカセットテープ７に記録する処理を行うもので、ＥＣＣ（エラー訂正符号）処理部８１と、このＥＣＣ処理部８１に接続されたチャネルコーディング部８２と、このチャネルコーディング部８２に接続された記録ヘッド部８３と、ビデオカセットテープ７の走行系や回転ドラムの駆動部等を含む機構部８５とを有している。記録ヘッド部８３は、記録ヘッド等を含んでいる。
【手続補正９】
【補正対象書類名】明細書
【補正対象項目名】００３３
【補正方法】変更
【補正の内容】
【００３３】
この記録処理部８では、記録動作時には、メモリ部５からの出力データに対して、ＥＣＣ処理部８１によってＥＣＣを付加し、チャネルコーディング部８２によって、記録に適した形態に変換するチャネルコーディングを施して、記録ヘッド部８３の記録ヘッドによってビデオカセットテープ７に記録を行うようになっている。
【手続補正１０】
【補正対象書類名】明細書
【補正対象項目名】００３９
【補正方法】変更
【補正の内容】
【００３９】
ビデオセクタ７３は、ビデオデータが記録される領域であり、ＩＤ部（図示せず）と、ビデオ補助データが格納されるＶＡＵＸ(Video Auxiliary) エリア７３ａ，７３ｂとを含んでいる。本実施の形態において取り扱う付加データは、主として、このＶＡＵＸエリア７３ａ，７３ｂに記録されるようになっている。サブコードセクタ７４は、ＩＤ部（図示せず）とサブコードデータとを含んでいる。サブコードデータとしては、主として高速サーチのためのデータ、テープ管理に必要な絶対トラック番号、およびテープカウンタとして機能するタイトルタイムコード等がある。ここで、タイトルタイムコードとは、テープ７０の先頭を基準０とした場合における各フレームの絶対アドレスを、時分秒およびフレーム番号で表したものである。ビデオセクタ７３およびオーディオセクタ７２は、それぞれ９０バイトの長さをもつ複数のシンクブロックからなり、サブコードセクタ７４は所定の長さをもつ複数のシンクブロックからなる。
【手続補正１１】
【補正対象書類名】明細書
【補正対象項目名】００４０
【補正方法】変更
【補正の内容】
【００４０】
図７は、図６に示したサブコードセクタ７４に記録されるデータの構成を表すものである。図７において、縦方向に延びる列はトラック番号ＴＲ０〜ＴＲ９の各トラックに対応したものであり、横方向に延びる行は、シンクブロック番号０〜１１の各シンクブロックに対応したものである。ここで、“１３”はタイトルタイムコードが記録されるシンクブロックであることを示し、“６２”は、記録年月日の絶対値を格納したデータパック“ＲＥＣ  ＤＡＴＥ”が記録されるシンクブロックであることを示し、“６３”は、記録時刻の絶対値を格納したデータパック“ＲＥＣ  ＴＩＭＥ”が記録されるシンクブロックであることを示し、“ＦＦ”は、特別の情報を含まないシンクブロックであることを示す。なお、データパック“ＲＥＣ  ＤＡＴＥ”、“ＲＥＣ  ＴＩＭＥ”については、後述する。
【手続補正１２】
【補正対象書類名】明細書
【補正対象項目名】００５０
【補正方法】変更
【補正の内容】
【００５０】
図１２は、マルチパックヘッダに続くマルチパック領域において、一連の（まとまりのある）データパックからなるグループ（以下、マルチパックグループという。）の先頭に配置されるデータパックの一般形を表すものである。このデータパックでは、先頭バイトＰＣ０に、このデータパックがマルチパックグループの先頭であることを宣言するコード“ＦＢｈ”が格納されている。また、本実施の形態において、ＰＣ１の“ＥＸＴＥＮＳＩＯＮ  ＣＯＤＥ”は、監視用の拡張子として定義されており、その値によって以下のように定義されている。
【手続補正１３】
【補正対象書類名】明細書
【補正対象項目名】００５４
【補正方法】変更
【補正の内容】
【００５４】
図１３は、データパック“ＧＥＮＥＲＡＬ”のデータ構造を表すものである。このデータパックは、図１２に示した構造を有する先頭データパックＧ０と、それに続く３つのデータパックＧ１〜Ｇ３とを含んで構成されている。先頭データパックＧ０のＰＣ０，ＰＣ１の意義は図１２で説明した通りであり、“ＥＸＴＥＮＳＩＯＮ  ＣＯＤＥ”は“００００”、すなわち“ＧＥＮＥＲＡＬ”に設定されている。また、本実施の形態において、先頭データパックＧ０におけるＰＣ２の“ＮＯ  ＯＦ  ＰＡＣＫＳ”は、“０３ｈ”、すなわち、３パックに設定される。なお、この値は、画面の分割数に応じて変わる。
【手続補正１４】
【補正対象書類名】明細書
【補正対象項目名】００５７
【補正方法】変更
【補正の内容】
【００５７】
データパックＧ１におけるＰＣ２の“ＮＯ  ＯＦ  ＣＡＭＥＲＡＳ”は、ビデオカメラ１０１の設置台数を４ビットで表し、“ＤＩＶＩＤＥ  ＭＯＤＥ”は図１４に示したような合成画面の分割形式を４ビットで表したものである。ここで、図１４は、合成画面の分割形式の種類を表わすもので、（Ａ）は、分割を行わない場合を示し、（Ｂ）は上下方向に２分割する場合を示し、（Ｃ）は、上下方向に２分割、左右方向に２分割の合計４分割の場合を示す。（Ｄ）は、左右方向に２分割、上下方向に４分割の合計８分割の場合を示し、（Ｅ）は、左右方向に４分割、上下方向に２分割の合計８分割の場合を示す。（Ｆ）は、左右、上下の各方向とも３分割の合計９分割の場合を示し、（Ｇ）は、左右、上下の各方向とも４分割の合計１６分割の場合を示す。
【手続補正１５】
【補正対象書類名】明細書
【補正対象項目名】００６０
【補正方法】変更
【補正の内容】
【００６０】
先頭データパックＲ０のＰＣ０，ＰＣ１の意義は図１２で説明した通りであり、“ＥＸＴＥＮＳＩＯＮ  ＣＯＤＥ”は“０００１”、すなわち“ＲＥＣ  ＴＩＭＥ  ＯＦＦＳＥＴ”に設定されている。また、本実施の形態において、先頭データパックＲ０におけるＰＣ２の“ＮＯ  ＯＦ  ＰＡＣＫＳ”は、“１０ｈ”、すなわち、１６パックに設定される。なお、この値は、画面の分割数に応じて変わる。
【手続補正１６】
【補正対象書類名】明細書
【補正対象項目名】００６４
【補正方法】変更
【補正の内容】
【００６４】
先頭のデータパックＣ０のＰＣ０，ＰＣ１の意義は図１２で説明した通りであり、“ＥＸＴＥＮＳＩＯＮ  ＣＯＤＥ”は、“００１０”、すなわち“ＣＡＭＥＲＡ  ＮＡＭＥ”に設定されている。また、本実施の形態において、先頭データパックＣ０におけるＰＣ２の“ＮＯ  ＯＦ  ＰＡＣＫＳ”は、“０３ｈ”、すなわち、３パックに設定される。なお、この値は、ビデオカメラの台数に応じて変わる。
【手続補正１７】
【補正対象書類名】明細書
【補正対象項目名】００６８
【補正方法】変更
【補正の内容】
【００６８】
先頭のデータパックＰＩ０のＰＣ０，ＰＣ１の意義は図１２で説明した通りであり、“ＥＸＴＥＮＳＩＯＮ  ＣＯＤＥ”は、“００１１”、すなわち“ＰＲＯＤＵＣＴ  ＩＤ”に設定されている。また、本実施の形態において、先頭データパックＰＩ０におけるＰＣ２の“ＮＯ  ＯＦ  ＰＡＣＫＳ”は、“０２ｈ”、すなわち、２パックに設定される。
【手続補正１８】
【補正対象書類名】明細書
【補正対象項目名】００７１
【補正方法】変更
【補正の内容】
【００７１】
先頭のデータパックＵ０のＰＣ０，ＰＣ１の意義は図１２で説明した通りであり、“ＥＸＴＥＮＳＩＯＮ  ＣＯＤＥ”は、“０１００”、すなわち“ＵＳＥＲ  ＤＡＴＡ”に設定されている。また、本実施の形態において、先頭のデータパックＵ０におけるＰＣ２の“ＮＯ  ＯＦ  ＰＡＣＫＳ”は“０８ｈ”、すなわち８パックに設定される。
【手続補正１９】
【補正対象書類名】明細書
【補正対象項目名】００７２
【補正方法】変更
【補正の内容】
【００７２】
先頭のデータパックＵ０におけるＰＣ３の“ＤＩＶＩＳＩＯＮ  Ｎｏ．”には、このユーザ情報がいずれの子画面の縮小映像に対応するものであるかを示すデータ（１〜１６）が格納されている。これにより、各ビデオカメラ１０１ごとにユーザ情報の対応付けが可能になっている。
【手続補正２０】
【補正対象書類名】明細書
【補正対象項目名】００７３
【補正方法】変更
【補正の内容】
【００７３】
続くデータパックＵ１〜Ｕ８におけるＰＣ１〜ＰＣ4 の各々には、全部で３２バイトのユーザ情報“ＵＳＥＲ  ＤＡＴＡ−０”〜“ＵＳＥＲ  ＤＡＴＡ−３１”が格納されるようになっている。